【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
（ａ）色がシアンであり、そして約１８０〜約２５０の色相角を有する第１の水性染料ベースのインク、
（ｂ）色が黄であり、そして約７０〜約１２０の色相角を有する第２の水性染料ベースのインク、
（ｃ）色がマゼンタであり、そして約３２０〜約１０の色相角を有する第３の水性染料ベースのインク、
（ｄ）色が青であり、そして約２５０〜約３２０の色相角を有する第４の水性染料ベースのインク、
（ｅ）色が赤であり、そして約１０〜約７０の色相角を有する第５の水性染料ベースのインク、および
（ｆ）色が緑であり、そして約１２０〜約１８０の色相角を有する第６の水性染料ベースのインク
を含むインクジェット・インクセット。
【請求項２】
（ａ）色がシアンであり、そして前記第１インクの総重量を基準にして約４重量％以下の染料含有率を有する第１の水性染料ベースのインク、
（ｂ）色が黄であり、そして前記第２インクの総重量を基準にして約４重量％以下の染料含有率を有する第２の水性染料ベースのインク、
（ｃ）色がマゼンタであり、そして前記第３インクの総重量を基準にして約４重量％以下の染料含有率を有する第３の水性染料ベースのインク、
（ｄ）色が青であり、そして前記第４インクの総重量を基準にして少なくとも約４重量％の染料含有率を有する第４の水性染料ベースのインク、
（ｅ）色が赤であり、そして前記第５インクの総重量を基準にして少なくとも約４重量％の染料含有率を有する第５の水性染料ベースのインク、および
（ｆ）色が緑であり、そして前記第６インクの総重量を基準にして少なくとも約４重量％の染料含有率を有する第６の水性染料ベースのインク
を含むインクジェット・インクセット。
【請求項３】
請求項１又は２に記載のインクセットを搭載しているインクジェットプリンター。
【請求項４】
（ａ）デジタルデータ信号に応答するインクジェットプリンターを提供する工程、
（ｂ）印刷されるべき基材をプリンターに装着する工程、
（ｃ）請求項１又は２に記載のインクジェット・インクセットをプリンターに装着する工程、および
（ｄ）デジタルデータ信号に応答してインクジェット・インクセットを用いて基材へ印刷する工程
を含む、基材へのインクジェット印刷方法。
【手続補正２】
【補正対象書類名】明細書
【補正対象項目名】０１０５
【補正方法】変更
【補正の内容】
【０１０５】
2007534802.tif 000001
次に、本発明の好ましい態様を示す。
1.  （ａ）色がシアンであり、そして約１８０〜約２５０の色相角を有する第１の水性染料ベースのインク、
（ｂ）色が黄であり、そして約７０〜約１２０の色相角を有する第２の水性染料ベースのインク、
（ｃ）色がマゼンタであり、そして約３２０〜約１０の色相角を有する第３の水性染料ベースのインク、
（ｄ）色が青であり、そして約２５０〜約３２０の色相角を有する第４の水性染料ベースのインク、
（ｅ）色が赤であり、そして約１０〜約７０の色相角を有する第５の水性染料ベースのインク、および
（ｆ）色が緑であり、そして約１２０〜約１８０の色相角を有する第６の水性染料ベースのインク
を含むインクジェット・インクセット。
2.  （ａ）色がシアンであり、そして前記第１インクの総重量を基準にして約４重量％以下の染料含有率を有する第１の水性染料ベースのインク、
（ｂ）色が黄であり、そして前記第２インクの総重量を基準にして約４重量％以下の染料含有率を有する第２の水性染料ベースのインク、
（ｃ）色がマゼンタであり、そして前記第３インクの総重量を基準にして約４重量％以下の染料含有率を有する第３の水性染料ベースのインク、
（ｄ）色が青であり、そして前記第４インクの総重量を基準にして少なくとも約４重量％の染料含有率を有する第４の水性染料ベースのインク、
（ｅ）色が赤であり、そして前記第５インクの総重量を基準にして少なくとも約４重量％の染料含有率を有する第５の水性染料ベースのインク、および
（ｆ）色が緑であり、そして前記第６インクの総重量を基準にして少なくとも約４重量％の染料含有率を有する第６の水性染料ベースのインク
を含むインクジェット・インクセット。
3.  （ａ）第１の水性染料ベースのインクが前記第１インクの総重量を基準にして約４重量％以下の染料含有率を有し、
（ｂ）第２の水性染料ベースのインクが前記第２インクの総重量を基準にして約４重量％以下の染料含有率を有し、
（ｃ）第３の水性染料ベースのインクが前記第３インクの総重量を基準にして約４重量％以下の染料含有率を有し、
（ｄ）第４の水性染料ベースのインクが前記第４インクの総重量を基準にして約４重量％以上の染料含有率を有し、
（ｅ）第５の水性染料ベースのインクが前記第５インクの総重量を基準にして約４重量％以上の染料含有率を有し、そして
（ｆ）第６の水性染料ベースのインクが前記第６インクの総重量を基準にして約４重量％以上の染料含有率を有する
ことを特徴とする、上記１に記載のインクジェット・インクセット。
4.  インクの総重量を基準にして、第１、第２および第３インクのそれぞれ中の染料含有率が約１．５％〜約４重量％であり、そして第４、第５および第６インクのそれぞれ中の染料含有率が約５％〜約９重量％であることを特徴とする、上記１〜３のいずれか一項に記載のインクジェット・インクセット。
5.  第１の水性染料ベースのインクが約１９５〜約２３０の色相角を有し、第２の水性染料ベースのインクが約７５〜約１１０の色相角を有し、第３の水性染料ベースのインクが約３２５〜約３６０の色相角を有し、第４の水性染料ベースのインクが約２６５〜約３０５の色相角を有し、第５の水性染料ベースのインクが約１５〜約６５の色相角を有し、そして第６の水性染料ベースのインクが約１３５〜約１６５の色相角を有することを特徴とする、上記１〜３のいずれか一項に記載のインクジェット・インクセット。
6.  第１の水性染料ベースのインクが約１９５〜約２３０の色相角を有し、第２の水性染料ベースのインクが約７５〜約１１０の色相角を有し、第３の水性染料ベースのインクが約３２５〜約３６０の色相角を有し、第４の水性染料ベースのインクが約２６５〜約３０５の色相角を有し、第５の水性染料ベースのインクが約１５〜約６５の色相角を有し、そして第６の水性染料ベースのインクが約１３５〜約１６５の色相角を有することを特徴とする、上記４に記載のインクジェット・インクセット。
6.  色が黒である第７の水性染料ベースのインクをさらに含む、上記１〜３のいずれか一項に記載のインクジェット・インクセット。
7.  前記第１インク中の染料がアシッド・ブルー（Ａｃｉｄ  Ｂｌｕｅ）９、ダイレクト・ブルー（Ｄｉｒｅｃｔ  Ｂｌｕｅ）１９９およびそれらの組合せよりなる群から選択され、および／または前記第２インク中の染料がダイレクト・イエロー（Ｄｉｒｅｃｔ  Ｙｅｌｌｏｗ）８６、ダイレクト・イエロー１３２、アシッド・イエロー（Ａｃｉｄ  Ｙｅｌｌｏｗ）２３およびそれらの組合せよりなる群から選択され、および／または前記第３インク中の染料がアシッド・レッド（Ａｃｉｄ  Ｒｅｄ）５２、リアクティブ・レッド（Ｒｅａｃｔｉｖｅ  Ｒｅｄ）１８０、アシッド・レッド３７、リアクティブ・レッド２３およびそれらの組合せよりなる群から選択され、および／または前記第４インク中の染料がリアクティブ・ブルー（Ｒｅａｃｔｉｖｅ  Ｂｌｕｅ）４９、リアクティブ・ブルー１９、リアクティブ・ブルー７２、リアクティブ・ブルー２１、アシッド・ブルー８３、アシッド・ブルー２６０およびそれらの組合せよりなる群から選択され、および／または前記第５インク中の染料がリアクティブ・オレンジ（Ｒｅａｃｔｉｖｅ  Ｏｒａｎｇｅ）１６、リアクティブ・レッド１２３、リアクティブ・レッド４３、リアクティブ・オレンジ１３、アシッド・レッド３３７、アシッド・レッド４１５、リアクティブ・レッド１８０／リアクティブ・イエロー（Ｒｅａｃｔｉｖｅ  Ｙｅｌｌｏｗ）８４混合物、およびそれらの組合せよりなる群から選択され、および／または前記第６インク中の染料がリアクティブ・グリーン（Ｒｅａｃｔｉｖｅ  Ｇｒｅｅｎ）１２、リアクティブ・ブルー７２／リアクティブ・イエロー８５混合物、およびそれらの組合せよりなる群から選択されることを特徴とする、上記１〜３のいずれか一項に記載のインクジェット・インクセット。
8.  前記第１インク中の染料がアシッド・ブルー９、ダイレクト・ブルー１９９およびそれらの組合せよりなる群から選択され、および／または前記第２インク中の染料がダイレクト・イエロー８６、ダイレクト・イエロー１３２、アシッド・イエロー２３およびそれらの組合せよりなる群から選択され、および／または前記第３インク中の染料がアシッド・レッド５２、リアクティブ・レッド１８０、アシッド・レッド３７、リアクティブ・レッド２３およびそれらの組合せよりなる群から選択され、および／または前記第４インク中の染料がリアクティブ・ブルー４９、リアクティブ・ブルー１９、リアクティブ・ブルー７２、リアクティブ・ブルー２１、アシッド・ブルー８３、アシッド・ブルー２６０およびそれらの組合せよりなる群から選択され、および／または前記第５インク中の染料がリアクティブ・オレンジ１６、リアクティブ・レッド１２３、リアクティブ・レッド４３、リアクティブ・オレンジ１３、アシッド・レッド３３７、アシッド・レッド４１５、リアクティブ・レッド１８０／リアクティブ・イエロー８４混合物、およびそれらの組合せよりなる群から選択され、および／または前記第６インク中の染料がリアクティブ・グリーン１２、リアクティブ・ブルー７２／リアクティブ・イエロー８５混合物、およびそれらの組合せよりなる群から選択されることを特徴とする、上記４に記載のインクジェット・インクセット。
9.  前記第１インク中の染料がアシッド・ブルー９、ダイレクト・ブルー１９９およびそれらの組合せよりなる群から選択され、および／または前記第２インク中の染料がダイレクト・イエロー８６、ダイレクト・イエロー１３２、アシッド・イエロー２３およびそれらの組合せよりなる群から選択され、および／または前記第３インク中の染料がアシッド・レッド５２、リアクティブ・レッド１８０、アシッド・レッド３７、リアクティブ・レッド２３およびそれらの組合せよりなる群から選択され、および／または前記第４インク中の染料がリアクティブ・ブルー４９、リアクティブ・ブルー１９、リアクティブ・ブルー７２、リアクティブ・ブルー２１、アシッド・ブルー８３、アシッド・ブルー２６０およびそれらの組合せよりなる群から選択され、および／または前記第５インク中の染料がリアクティブ・オレンジ１６、リアクティブ・レッド１２３、リアクティブ・レッド４３、リアクティブ・オレンジ１３、アシッド・レッド３３７、アシッド・レッド４１５、リアクティブ・レッド１８０／リアクティブ・イエロー８４混合物、およびそれらの組合せよりなる群から選択され、および／または前記第６インク中の染料がリアクティブ・グリーン１２、リアクティブ・ブルー７２／リアクティブ・イエロー８５混合物、およびそれらの組合せよりなる群から選択されることを特徴とする、上記５に記載のインクジェット・インクセット。
10.  上記１〜９のいずれか一項に記載のインクセットを搭載しているインクジェットプリンター。
11.  ページ幅のアレイであるプリントヘッドを含む、上記１０に記載のインクジェットプリンター。
12.  （ａ）デジタルデータ信号に応答するインクジェットプリンターを提供する工程、
（ｂ）印刷されるべき基材をプリンターに装着する工程、
（ｃ）上記１〜９のいずれか一項に記載のインクジェット・インクセットをプリンターに装着する工程、および
（ｄ）デジタルデータ信号に応答してインクジェット・インクセットを用いて基材へ印刷する工程
を含む、基材へのインクジェット印刷方法。
13.  インクジェットプリンターがページ幅のアレイであるプリントヘッドを含むことを特徴とする、上記１２に記載の方法。